(57)【要約】【課題】挿入部の先端部に装着したときに照明光学系が出射した照明光を被写体に効率よく照射することが可能な内視鏡用フードを提供する。【解決手段】。挿入部１２の先端面１７に照明光学系２３を備える内視鏡の該挿入部の先端部に着脱可能に装着する筒状をなすフードにおいて、フードの内周面に、上記先端部に装着したときに挿入部の先端面より前方に位置し、かつ、光の反射率が該フード表面のその他の部位に比べて高い内周側反射面２６を形成したことを特徴とする内視鏡用フード２５。【選択図】図３
2013180175.tif 000002
【特許請求の範囲】
【請求項１】
挿入部の先端面に照明光学系を備える内視鏡の該挿入部の先端部に着脱可能に装着する筒状をなすフードにおいて、
上記フードの内周面に、上記先端部に装着したときに上記挿入部の先端面より前方に位置し、かつ、光の反射率が該フード表面のその他の部位に比べて高い内周側反射面を形成したことを特徴とする内視鏡用フード。
【請求項２】
請求項１記載の内視鏡用フードにおいて、
上記内周側反射面の明度が、上記フード表面の上記その他の部位に比べて高い内視鏡用フード。
【請求項３】
請求項１または２記載の内視鏡用フードにおいて、
上記内周側反射面の表面粗さが、上記フード表面の上記その他の部位に比べて小さい内視鏡用フード。
【請求項４】
請求項３記載の内視鏡用フードにおいて、
上記フードが、
ゴム、エラストマー、又は樹脂からなる本体部と、
該本体部の内周面に形成した、金属製の上記内周側反射面と、
を備える内視鏡用フード。
【請求項５】
請求項１から４のいずれか１項記載の内視鏡用フードにおいて、
上記フードの本体部の内周面に施したコーティング材によって上記内周側反射面を構成した内視鏡用フード。
【請求項６】
請求項１または２項記載の内視鏡用フードにおいて、
上記フードが、第一材料からなる本体部と、該本体部の内周面に形成した、該第一材料より反射率が高い第二材料からなる上記内周側反射面と、を備える二色成形品である内視鏡用フード。
【請求項７】
挿入部の先端面に照明光学系を備える内視鏡の該挿入部の先端部に着脱可能に装着する筒状をなすフードにおいて、
上記フードの内周面に、上記先端部に装着したときに上記挿入部の先端面より前方に位置し、かつ、明度が上記挿入部の先端面に比べて高い内周側反射面を形成したことを特徴とする内視鏡用フード。
【請求項８】
請求項７記載の内視鏡用フードにおいて、
上記挿入部の先端面が黒色であり、
上記フード全体が白色である内視鏡用フード。
【発明の詳細な説明】
【技術分野】
【０００１】
本発明は内視鏡用フードに関する。
【背景技術】
【０００２】
一般的に内視鏡は、操作部と、操作部から前方に延び可撓性を有する挿入部と、を備えており、挿入部の先端面には照明レンズ（照明光学系）、及び、ズーミング機能を持った観察光学系が設けてある。
このような構成の内視鏡の挿入部の先端部に対しては、両端が開口した筒状部材であるフードを装着可能である。
挿入部の先端部にフードを装着した場合は、挿入部を患者の体腔内に挿入したときに観察したい体腔壁にフードの先端部を押し付けることにより、対物レンズと体腔壁との位置関係を固定できる。従って、この状態で観察光学系の焦点距離を長くすれば、フードを利用した拡大観察を行うことができる。
【先行技術文献】
【特許文献】
【０００３】
【特許文献１】特許第３６８６８７６号公報
【発明の概要】
【発明が解決しようとする課題】
【０００４】
挿入部の先端部にフードを装着した場合は、照明光学系から出射された照明光の殆どはフードの内周面によって反射された後に体腔壁を照明し、残りの一部の照明光が体腔壁を直接照明する。しかし、一般的にフードの内周面の反射率は低いので、（拡大）観察を行う際の被写体（体腔壁）に対する照明光量が不十分になり易い。
【０００５】
本発明は、挿入部の先端部に装着したときに照明光学系が出射した照明光を被写体に効率よく照射することが可能な内視鏡用フードを提供することを目的とする。
【課題を解決するための手段】
【０００６】
本発明の内視鏡用フードは、挿入部の先端面に照明光学系を備える内視鏡の該挿入部の先端部に着脱可能に装着する筒状をなすフードにおいて、上記フードの内周面に、上記先端部に装着したときに上記挿入部の先端面より前方に位置し、かつ、光の反射率が該フード表面のその他の部位に比べて高い内周側反射面を形成したことを特徴としている。
【０００７】
上記内周側反射面の明度が、上記フード表面の上記その他の部位に比べて高くてもよい。
【０００８】
上記内周側反射面の表面粗さが、上記フード表面の上記その他の部位に比べて小さくてもよい。
この場合は、上記フードが、ゴム、エラストマー、又は樹脂からなる本体部と、該本体部の内周面に形成した、金属製の上記内周側反射面と、を備えてもよい。
【０００９】
上記フードの本体部の内周面に施したコーティング材によって上記内周側反射面を構成してもよい。
【００１０】
上記フードが、第一材料からなる本体部と、該本体部の内周面に形成した、該第一材料より反射率が高い第二材料からなる上記内周側反射面と、を備える二色成形品であってもよい。
【００１１】
別の態様によると、本発明の内視鏡用フードは、挿入部の先端面に照明光学系を備える内視鏡の該挿入部の先端部に着脱可能に装着する筒状をなすフードにおいて、上記フードの内周面に、上記先端部に装着したときに上記挿入部の先端面より前方に位置し、かつ、明度が上記挿入部の先端面に比べて高い内周側反射面を形成したことを特徴としている。
【００１２】
この態様では、上記挿入部の先端面が黒色であり、上記フード全体が白色であってもよい。
【発明の効果】
【００１３】
請求項１の発明のフードの内周面には、先端部に装着したときに挿入部の先端面より前方に位置し、かつ、光の反射率がフード表面のその他の部位に比べて高い内周側反射面を形成してある。そのため照明光学系から出た照明光が内周側反射面を照明したときに、内周側反射面は当該照明光を被写体側に効率よく反射できるので、被写体を明るく照らすことが可能である。
また請求項７の発明のフードの内周面には、先端部に装着したときに挿入部の先端面より前方に位置し、かつ、明度が挿入部の先端面に比べて高い内周側反射面を形成してある。明度と光の反射率の間には相関関係があり、明度が高くなるにつれて光の反射率が高くなる。そのため、照明光学系から出た照明光が内周側反射面を照明したときに、内周側反射面は当該照明光を被写体側に効率よく反射できるので、被写体を明るく照らすことが可能である。
【図面の簡単な説明】
【００１４】
【図１】本発明の第１の実施形態の内視鏡の全体図である。
【図２】挿入部の先端部と、該先端部に装着したフードの拡大斜視図である。
【図３】図２のIII−III矢線に沿う断面図である。
【図４】第１の実施形態の変形例の図３と同様の断面図である。
【図５】第１の実施形態の別の変形例の図３と同様の断面図である。
【図６】第１の実施形態のさらに別の変形例の図３と同様の断面図である。
【図７】第２の実施形態の図３と同様の断面図である。
【発明を実施するための形態】
【００１５】
以下、図１から図３を参照しながら本発明の第１の実施形態について説明する。以下の説明中の前後方向は、内視鏡１０の挿入部１２の先端側を「前方」、ユニバーサルチューブ１３の先端側（コネクタ部１４側）を「後方」と定義している。
医療用の内視鏡１０は、硬質樹脂からなる操作部１１と、操作部１１から前方に延びる挿入部１２と、操作部１１から後方に延びるユニバーサルチューブ１３と、ユニバーサルチューブ１３の後端に固定したコネクタ部１４と、を備えている。
【００１６】
挿入部１２は、操作部１１から前方に延びかつ可撓性を有する可撓管部１５と、可撓管部１５より前方に位置する部分を構成する先端硬質部１６と、を具備している。先端硬質部１６を含む挿入部１２の表面は、後述する観察光学系１９や照明レンズ２３（及び、説明を省略した送気口や送水口）を除いて黒色に着色してある。先端硬質部１６は実質的に弾性変形不能な硬質樹脂材料（例えば、ＡＢＳ、変性ＰＰＯ、ＰＳＵなど）によって構成してある。先端硬質部１６の平面からなる先端面１７には、先端硬質部１６をその軸線方向に貫通する貫通孔が形成してあり、該貫通孔には複数枚のレンズからなる観察光学系１９が設けてある。観察光学系１９は、最も前方に位置する不動の対物レンズ２０と、対物レンズ２０の後方に位置する可動レンズ群（図示略）と、を備えており、可動レンズ群が光軸方向（前後方向）に移動することにより観察光学系１９の焦点距離は変化する。さらに当該貫通孔には観察光学系１９の直後に位置する撮像素子（図示略）が設けてあり、撮像素子から後方に延びる画像信号用ケーブル（図示略）の後端部が、挿入部１２、操作部１１、及び、ユニバーサルチューブ１３の内部空間を通り抜けてコネクタ部１４に接続している。
【００１７】
図２、図３に示すように先端面１７には先端硬質部１６をその軸線方向に貫通する一対の貫通孔２２が形成してあり、各貫通孔２２の前端部には照明レンズ２３（照明光学系）がそれぞれ固定してある。挿入部１２、操作部１１、ユニバーサルチューブ１３、及び、コネクタ部１４の内部空間には可撓性を有する一対のライトガイドファイバ（図示略）が配設してあり、各ライトガイドファイバの前端は先端硬質部１６（貫通孔２２）の内部において各照明レンズ２３にそれぞれ接続しており、各ライトガイドファイバの後端はコネクタ部１４に接続している。
【００１８】
先端硬質部１６の前端部に対して着脱可能なフード２５は、ゴム、エラストマー、又は樹脂材料からなる一体成形品である。フード２５は、自身の軸線を中心とする筒状体であり、その前後両端が共に開口している。またフード２５の内周面は、その前部を構成する内周側反射面２６と、内周側反射面２６より後方に位置する部分を構成する内周側反射面２６より大径の嵌合面２７と、を有している。内周側反射面２６は先端硬質部１６より小径であり、嵌合面２７は先端硬質部１６と略同径である。
フード２５を構成する上記ゴム、エラストマー、樹脂材料の原料の色のマンセル明度は３．０（黒っぽい色）であるが、内周側反射面２６のみマンセル明度が１０．０の色（白色）に塗ってある。明度と光の反射率の間には相関関係があり、明度が高くなるにつれて光の反射率は高くなるので、内周側反射面２６は、フード２５の表面のその他の部位より光の反射率が高い。なお、マンセル明度と光の反射率の関係は表１（ＪＩＳ番号：ＪＩＳ  Ｚ  ８７２１−１９９３）の通りである。
【表１】
2013180175.tif 000003
【００１９】
図２、図３に示すように先端硬質部１６の先端部に対してフード２５を装着すると、先端面１７の前方に内周側反射面２６が位置した状態で、フード２５が先端硬質部１６の先端部に対して着脱可能に固定される。
この状態でコネクタ部１４を図示を省略したプロセッサ（画像処理装置兼光源装置）に接続して、光源で発生した光をコネクタ部１４内のライトガイドファイバの後端面に供給すると、先端硬質部１６の先端面１７に設けた一対の照明レンズ２３が照明光を前方に向けて照射する。さらに観察光学系１９（対物レンズ２０）を透過した観察像が上記撮像素子によって撮像され、撮像データが上記画像信号用ケーブルを介してプロセッサの画像処理装置に送られる。画像処理装置によって処理された画像データは、プロセッサに接続するモニタ（図示略）に表示される。
【００２０】
フード２５を装着した挿入部１２を患者（図示略）の体腔内に挿入し、患部がある体腔壁に対してフード２５の前端面を押し付けて当該患部と対物レンズ２０を対向させると、対物レンズ２０と患部（体腔壁）との位置関係が固定される。従って、この状態で操作部１１に設けたズーム操作手段を操作することにより観察光学系１９の焦点距離を長くすれば、フード２５を利用した拡大観察を行うことができる。
このとき照明レンズ２３が出射した照明光の一部は直接患部（体腔壁）を照明し、残りの照明光の大部分は内周側反射面２６によって反射された後に患部（体腔壁）を照明する。上記のように内周側反射面２６はフード２５の表面のその他の部位（フード２５の前後両端面、フード２５の外周面、及び、フード２５の嵌合面２７）に比べて光の反射率が高いので、内周側反射面２６によって反射された照明光は患部を明るく照らす。従って上記モニタには当該患部（体腔壁）が鮮明な画像として表示されるので、術者は患部の観察や処置を確実に行うことが可能になる。
【００２１】
続いて図４を参照しながら第１の実施形態の変形例について説明する。
本変形例のフード３０は二種類の材料（例えば、ゴムと別種のゴム、エラストマーと別種のエラストマー、ゴムとエラストマー、エラストマーと樹脂材料など）からものである。
フード３０は、フード２５とほぼ同じ形状である第一材料製の本体部３１と、本体部３１の内周面の嵌合面２７より前方に位置する部分全体をコーティングすることにより構成した第二材料製の内周側反射面３２と、を一体的に備えている。フード３０は、本体部３１を成形した後に内周側反射面３２をコーティングすることにより製造することが可能であるが、第一材料及び第二材料を用いた二色成形により本体部３１と内周側反射面３２を同時に成形することも可能である。
本体部３１を構成する上記第一材料の色のマンセル明度は３．０（黒っぽい色）であり、内周側反射面３２を構成する上記第二材料の色のマンセル明度は１０．０の色（白色）である。従って、内周側反射面３２の反射率は本体部３１より高い。そのため本変形例のフード３０もフード２５と同様の作用効果を発揮可能である。
【００２２】
続いて図５を参照しながら第１の実施形態の別の変形例について説明する。
本変形例のフード３４も二種類の材料からなるものである。即ち、本体部３５をゴム、エラストマー、又は樹脂材料によって構成し、本体部３５の内周面の嵌合面２７より前方に位置する部分全体を、本体部３５の内周面に対して蒸着（コーティング）した金属膜（例えばアルミ膜）からなる内周側反射面３６としたものである。
金属膜からなる内周側反射面３６の表面の面粗さは本体部３５の表面の面粗さより小さい。そのため、内周側反射面３６の反射率は本体部３５より高いので、本変形例のフード３４もフード２５と同様の作用効果を発揮可能である。
【００２３】
続いて図６を参照しながら第１の実施形態のさらに別の変形例について説明する。
本変形例のフード３８はゴム、エラストマー、又は樹脂材料からなる一体成形品であり、内周面の前部には、その面粗さがフード３８の表面のその他の部位（フード３８の前後両端面、フード３８の外周面、及び、フード３８の嵌合面２７）に比べて小さい内周側反射面３９が形成してある。例えば、内周側反射面３９に対応する部分が鏡面加工された金型（図示略）を用いてゴム、エラストマー、又は樹脂材料を成形することにより、内周側反射面３９を有するフード３８を成形することが可能である。
そのため内周側反射面３９の反射率はフード３８の表面のその他の部位に比べて高いので、本変形例のフード３８もフード２５と同様の作用効果を発揮可能である。
【００２４】
最後に図７を参照しながら本発明の第２の実施形態について説明する。
本変形例のフード４１はゴム、エラストマー、又は樹脂材料からなる全体が白色に着色された一体成形品である。即ちフード４１の色のマンセル明度は１０．０である。フード４１の内周面には嵌合面２７と、嵌合面２７の前方に位置する内周側反射面４２が形成してある。
これに対して上述のように先端硬質部１６の先端面１７は黒色に着色してあるので、先端面１７の色のマンセル明度は１０．０より小さい（例えば３．０）。
本変形例のフード４１を先端硬質部１６に装着した上で一対の照明レンズ２３が照明光を照射すると、照明光の大部分は内周側反射面４２によって反射された後に患部を照らす。内周側反射面４２のマンセル明度は（先端面１７より）高い（光の反射率が高い）ので、内周側反射面４２によって反射された照明光によって患部を明るく照らすことが可能である。
そのため本実施形態のフード４１もフード２５と同様の作用効果を発揮可能である。
【００２５】
以上、上記実施形態を利用して本発明を説明したが、本発明は様々な変形を施しながら実施可能である。
例えばフードの内周側反射面の明度をフード表面のその他の部位に比べて高くした上で、当該内周側反射面の面粗さをフード表面のその他の部位に比べて小さくしてもよい。
またフード（内周側反射面）と先端硬質部１６（先端面１７）の色は上記のものに限定されるものではなく、明度の大小関係が上記関係を満たすのであれば、他の色であってもよい。例えば、フード２５の内周側反射面２６を白色にして内周側反射面２６以外の部分を灰色にしたり、フード４１全体を灰色やクリーム色にしてもよい。
【符号の説明】
【００２６】
１０    内視鏡
１１    操作部
１２    挿入部
１３    ユニバーサルチューブ
１４    コネクタ部
１５    可撓管部
１６    先端硬質部
１７    先端面
１９  観察光学系
２０    対物レンズ
２２    貫通孔
２３    照明レンズ（照明光学系）
２５    フード
２６    内周側反射面
２７    嵌合面
３０    フード
３１    本体部
３２    内周側反射面
３４    フード
３５    本体部
３６    内周側反射面
３８    フード
３９    内周側反射面
４１    フード
４２    内周側反射面
【図１】
2013180175.tif 000004
【図２】
2013180175.tif 000005
【図３】
2013180175.tif 000006
【図４】
2013180175.tif 000007
【図５】
2013180175.tif 000008
【図６】
2013180175.tif 000009
【図７】
2013180175.tif 000010